(57)【要約】【課題】異常電圧検出能力を有するバックライトモジュールのドライバを提供すること。【解決手段】液晶ディスプレイのバックライトモジュールのドライバは、異常電圧検出ユニットとループ保護ユニットを有する。異常電圧検出ユニットは昇圧用変圧器とループ保護ユニットとに接続されている。ループ保護ユニットはスイッチングユニット又は有効電力レギュレータに接続することができる。有効電力レギュレータはスイッチングユニットに電力を供給し、またスイッチングユニットは、多数のランプに正の電圧駆動電力を出力するように昇圧用変圧器を制御するため、昇圧用変圧器が電圧漏洩又は高い異常電圧状態を有するとき、異常電圧検出ユニットが検出し、正の電圧をループ保護ユニットに出力する。ループ保護ユニットは、ランプの駆動を停止すべく、即座にスイッチングユニット又は有効電力レギュレータの作動を停止する。【選択図】図１
2005332814.tif 000002
【特許請求の範囲】
【請求項１】
交流電力を直流電力に変換するために外部の交流電源に接続されるように適合された有効電力レギュレータと、
直流電力を低電圧の直流電力に変換するために前記有効電力レギュレータに接続された低電圧の直流電源ユニットと、
低電圧の直流電力を得るために前記直流電源ユニットに接続された発振器及びスイッチングユニットのドライバユニットと、
前記発振器及びスイッチングユニットのドライバユニットに接続されたスイッチングユニットであって前記発振器及びスイッチングユニットのドライバユニットが前記スイッチングユニットのデューティサイクルを制御する、スイッチングユニットと、
前記スイッチングユニットに接続された一次コイルと、多数のランプに接続するように適合された二次コイルとを有する昇圧用変圧器と、
異常電圧が前記二次コイルに生じたことを検出しかつ前記異常電圧が生じた場合に正の電圧を出力するように前記二次コイルに接続された異常電圧検出ユニットと、
前記スイッチングユニットと前記異常電圧検出ユニットとの間に接続されたループ保護ユニットであって、前記異常電圧検出ユニットが正の電圧を出力するときに前記ループ保護ユニットが前記スイッチングユニットの作動を停止する、ループ保護ユニットとを含む、液晶ディスプレイのバックライトモジュールのドライバ。
【請求項２】
交流電力を直流電力に変換するために外部の交流電源に接続されるように適合された有効電力レギュレータと、
直流電力を低電圧の直流電力に変換するために前記有効電力レギュレータに接続された低電圧の直流電源ユニットと、
低電圧の直流電力を得るために前記直流電源ユニットに接続された発振器及びスイッチングユニットのドライバユニットと、
前記発振器及びスイッチングユニットのドライバユニットに接続されたスイッチングユニットであって前記発振器及びスイッチングユニットのドライバユニットが前記スイッチングユニットのデューティサイクルを制御する、スイッチングユニットと、
前記スイッチングユニットに接続された一次コイルと、多数のランプに接続するように適合された二次コイルとを有する昇圧用変圧器と、
異常電圧が前記二次コイルに生じたことを検出しかつ前記異常電圧が生じた場合に正の電圧を出力するように前記二次コイルに接続された異常電圧検出ユニットと、
前記有効電力レギュレータと前記異常電圧検出ユニットとの間に接続されたループ保護ユニットであって、前記異常電圧検出ユニットが正の電圧を出力するときに前記ループ保護ユニットが前記有効電力レギュレータの作動を停止する、ループ保護ユニットとを含む、液晶ディスプレイのバックライトモジュールのドライバ。
【請求項３】
前記異常電圧検出ユニットは変圧器と整流器とを含み、前記変圧器は前記昇圧用変圧器の二次コイルに接続された一次コイルと、前記整流器に接続された二次コイルとを備える、請求項１又は２に記載のバックライトモジュールのドライバ。
【請求項４】
前記ループ保護ユニットは、
前記整流器に接続された第１のツェナーダイオードと、
前記第１のツェナーダイオードに接続されたトリガー端子を有するシリコン制御整流器と、
発光ダイオードと光トランジスタとを有する光学結合素子であって、前記光トランジスタが前記スイッチングユニットに直列に接続されかつ前記発光ダイオードが前記シリコン制御整流器に接続されており、これにより、前記整流器が正の電圧を出力するとき、前記第１のツェナーダイオードと、前記シリコン制御整流器と、前記発光ダイオードとが作動され、次いで前記光トランジスタが前記スイッチングユニットの作動を停止するように作動される、光学結合素子とを含む、請求項１に記載のバックライトモジュールのドライバ。
【請求項５】
前記ループ保護ユニットは、
前記整流器に接続されたツェナーダイオードと、
前記ツェナーダイオードに接続されたトリガー端子を有するシリコン制御整流器と、
発光ダイオードと光トランジスタとを有する光学結合素子であって、前記光トランジスタが前記有効電力レギュレータのコントローラＩＣの電力端子に接続されかつ前記発光ダイオードが前記シリコン制御整流器に接続されており、これにより、前記整流器が正の電圧を出力するとき、前記ツェナーダイオードと、前記シリコン制御整流器とが作動されかつ前記発光ダイオードが作動を停止され、次いで前記光トランジスタが前記有効電力レギュレータの作動を停止するように作動を停止される、光学結合素子とを含む、請求項２に記載のバックライトモジュールのドライバ。
【請求項６】
さらに、各ランプと前記ループ保護ユニットとの２つの端部に接続されるように適合された開ループ保護ユニットであって、該開ループ保護ユニットが前記ランプの任意の開ループを保護し、次いで前記ループ保護ユニットに正の電圧を出力する、開ループ保護ユニットを含む、請求項１に記載のバックライトモジュールのドライバ。
【請求項７】
さらに、各ランプと前記ループ保護ユニットとの２つの端部に接続されるように適合された開ループ保護ユニットであって、該開ループ保護ユニットが前記ランプの任意の開ループを保護し、次いで前記ループ保護ユニットに正の電圧を出力する、開ループ保護ユニットを含み、
前記ループ保護ユニットがさらに前記開ループ保護ユニットと前記シリコン制御整流器のトリガー端子との間に接続された第２のツェナーダイオードを含む、請求項４に記載のバックライトモジュールのドライバ。
【請求項８】
前記開ループ保護ユニットは、多数のランプに対応するようにそれぞれ適合された多数の分圧器と、
前記第２のツェナーダイオードに接続されたコントローラとを含む、請求項７に記載のバックライトモジュールのドライバ。
【請求項９】
前記スイッチングユニットは全ブリッジ回路からなる、請求項１又は２に記載のバックライトモジュールのドライバ。
【請求項１０】
前記スイッチングユニットは半ブリッジ回路からなる、請求項１又は２に記載のバックライトモジュールのドライバ。
【発明の詳細な説明】
【技術分野】
【０００１】
本発明は、液晶ディスプレイ（ＬＣＤ）のためのバックライトモジュールのドライバ、より詳細には多数のランプを駆動するためのバックライトモジュールのドライバであってループ保護及び異常電圧検出能力を有するものに関する。
【背景技術】
【０００２】
ＬＣＤはこれに画像を表示するためにバックライトモジュールを必要とする。様々なディスプレイのサイズに合わせて、バックライトモジュールは異なる数量のランプを有し、もちろん、バックライトモジュールのドライバは同じでない。
【０００３】
図６を参照すると、少数のランプのためのドライバのインバータが昇圧用変圧器Ｔ１と、スイッチングトランジスタＱ１，Ｑ２と、発振器ＯＳＣとを有する。スイッチングトランジスタＱ１，Ｑ２は、発振器ＯＳＣと昇圧用変圧器Ｔ１の一次コイルとの間に接続されている。スイッチングトランジスタＱ１，Ｑ２は発振器ＯＳＣによりそれぞれ作動又は非作動に制御され、このため、昇圧用変圧器Ｔ１の二次コイルが非常に高い電圧の交流駆動電源を有する。ＬＣＤは薄いため、小型の昇圧用変圧器が必要である。昇圧用変圧器Ｔ１の二次コイルの２つの端部がそれぞれ、ランプＬに前記駆動電源の非常に高い電圧を供給するように、高電圧及びゼロ電圧に接続されており、このため、前記昇圧用変圧器の次の問題が存する。
【０００４】
１  低消費電力変換  前記インバータは構成上、通常、約７０％の出力変換能力を有する。前記インバータは容易に熱を生じさせるため、他の電力は熱に変換される。
【０００５】
２  少数のランプが前記インバータにより駆動される。図８を参照すると、もしも前記インバータが多数のランプを駆動しなければならない場合、前記インバータはより多くの昇圧用変換器Ｔ１を必要とする。
【０００６】
３  前記ランプの強度が一様でない。図１１Ｂ及び図１２を参照すると、バックライトモジュール９０の２つのランプＬ１，Ｌ２の強度曲線Ｃ１１，Ｃ１２が示されている。これらの２つのランプＬ１，Ｌ２は前記インバータにより同時に駆動される。各ランプＬ１，Ｌ２の２つの端部Ａ１，Ａ１１，Ｂ１，Ｂ１１の２つの強度間に大きい落差が存するため、２つのランプＬ１，Ｌ２の強度は異なる。このため、バックライトモジュール９０は一様な強度を与えず、またこれはＬＣＤの画像特性を損なう。
【０００７】
図７を参照すると、ランプＬが光を上向きに反射するための金属製の蓋７０を有するため、多数の漂遊コンデンサ７１がランプＬと金属製の蓋７０との間に取り付けられている。入力電流Ｉ１がランプＬを通過するとき、多数の漂遊コンデンサ７１がランプＬ内の前記入力電流の一部を共有し、このため、出力電流Ｉ２は前記入力電流より少ない。このことから、前記ランプの強度曲線が一様でない。
【０００８】
図９を参照すると、前記問題を解決するためにインバータが設けられている。前記インバータは昇圧用変圧器Ｔ２と、スイッチ型トランジスタＱ３，Ｑ４と、発振器８１とを有する。昇圧用変圧器Ｔ２の二次コイルは３つの端部Ｖ１，Ｖ２，Ｖ３を有し、２つの端部Ｖ１，Ｖ３が高電圧源に接続され、中央の端部Ｖ２がグランドに接続されている。このため、図１０を参照すると、漂遊コンデンサ８２がランプＬと金属製蓋８３との間に設けられていても、前記入力電流と前記出力電流とはほぼ等しく、中央の電流は前記入出力電流より少ない。このことから、前記インバータはより一様な強度を提供することができる。
【０００９】
前記インバータは第１の従来のインバータの問題を解決するが、前記インバータはなお他の問題点を有する。前記インバータはＬＣＤのバックライトモジュールを駆動するのに使用されているため、前記ランプを駆動するための安全性が前記バックライトモジュールの品質を確保するように与えられなければならない。加えて、昇圧用変圧器Ｔ２は、さらに、前記一次コイル及び前記二次コイルを除いて発振器として使用される帰還コイル８１を有する。このため、前記一次コイルは、ランプＬに対する出力の不安定な駆動動力源が生じるように、帰還コイル８１により容易に効果を発揮するようにされている。ランプＬは前記不安定な駆動動力源により容易に損傷を受ける。
【００１０】
したがって、本発明は、ランプ保護能力及び異常電圧検出能力を有する、バックライトモジュールのためのドライバを提供する。
【発明の開示】
【発明が解決しようとする課題】
【００１１】
本発明の主な目的は、異常電圧検出能力を有するバックライトモジュールのドライバを提供することにある。
【００１２】
本発明の他の目的は、さらにランプ保護能力を有するバックライトモジュールのドライバを提供することにある。
【００１３】
本発明の他の目的、利点及び新しい特徴は、添付図面を参照しての以下の詳細な説明からより明らかとなろう。
【課題を解決するための手段】
【００１４】
液晶ディスプレイのバックライトモジュールのドライバにかかる本発明は、交流電力を直流電力に変換するために外部の交流電源に接続されるように適合された有効電力レギュレータと、直流電力を低電圧の直流電力に変換するために前記有効電力レギュレータに接続された低電圧の直流電源ユニットと、低電圧の直流電力を得るために前記直流電源ユニットに接続された発振器及びスイッチングユニットのドライバユニットと、前記発振器及びスイッチングユニットのドライバユニットに接続されたスイッチングユニットであって前記発振器及びスイッチングユニットのドライバユニットが前記スイッチングユニットのデューティサイクルを制御する、スイッチングユニットと、前記スイッチングユニットに接続された一次コイルと、多数のランプに接続するように適合された二次コイルとを有する昇圧用変圧器と、異常電圧が前記二次コイルに生じたことを検出しかつ前記異常電圧が生じた場合に正の電圧を出力するように前記二次コイルに接続された異常電圧検出ユニットと、前記スイッチングユニットと前記異常電圧検出ユニットとの間に接続されたループ保護ユニットであって、前記異常電圧検出ユニットが正の電圧を出力するときに前記ループ保護ユニットが前記スイッチングユニットの作動を停止する、ループ保護ユニットとを含む。
【００１５】
他の液晶ディスプレイのバックライトモジュールのドライバに係る本発明は、交流電力を直流電力に変換するために外部の交流電源に接続されるように適合された有効電力レギュレータと、直流電力を低電圧の直流電力に変換するために前記有効電力レギュレータに接続された低電圧の直流電源ユニットと、低電圧の直流電力を得るために前記直流電源ユニットに接続された発振器及びスイッチングユニットのドライバユニットと、前記発振器及びスイッチングユニットのドライバユニットに接続されたスイッチングユニットであって前記発振器及びスイッチングユニットのドライバユニットが前記スイッチングユニットのデューティサイクルを制御する、スイッチングユニットと、前記スイッチングユニットに接続された一次コイルと、多数のランプに接続するように適合された二次コイルとを有する昇圧用変圧器と、異常電圧が前記二次コイルに生じたことを検出しかつ前記異常電圧が生じた場合に正の電圧を出力するように前記二次コイルに接続された異常電圧検出ユニットと、前記有効電力レギュレータと前記異常電圧検出ユニットとの間に接続されたループ保護ユニットであって、前記異常電圧検出ユニットが正の電圧を出力するときに前記ループ保護ユニットが前記有効電力レギュレータの作動を停止する、ループ保護ユニットとを含む。
【００１６】
前記異常電圧検出ユニットが変圧器と整流器とを含み、前記変圧器が前記昇圧用変圧器の二次コイルに接続された一次コイルと、前記整流器に接続された二次コイルとを備えるものとすることができる。
【００１７】
前記ループ保護ユニットが、前記整流器に接続された第１のツェナーダイオードと、前記第１のツェナーダイオードに接続されたトリガー端子を有するシリコン制御整流器と、発光ダイオードと光トランジスタとを有する光学結合素子であって、前記光トランジスタが前記スイッチングユニットに直列に接続されかつ前記発光ダイオードが前記シリコン制御整流器に接続されており、これにより、前記整流器が正の電圧を出力するとき、前記第１のツェナーダイオードと、前記シリコン制御整流器と、前記発光ダイオードとが作動され、次いで前記光トランジスタが前記スイッチングユニットの作動を停止するように作動される、光学結合素子とを含むものとすることができる。さらに、各ランプと前記ループ保護ユニットとの２つの端部に接続されるように適合された開ループ保護ユニットであって、該開ループ保護ユニットが前記ランプの任意の開ループを保護し、次いで前記ループ保護ユニットに正の電圧を出力する、開ループ保護ユニットを含むものとすることができる。
【００１８】
また、前記ループ保護ユニットは、前記整流器に接続されたツェナーダイオードと、前記ツェナーダイオードに接続されたトリガー端子を有するシリコン制御整流器と、発光ダイオードと光トランジスタとを有する光学結合素子であって、前記光トランジスタが前記有効電力レギュレータのコントローラＩＣの電力端子に接続されかつ前記発光ダイオードが前記シリコン制御整流器に接続されており、これにより、前記整流器が正の電圧を出力するとき、前記ツェナーダイオードと、前記シリコン制御整流器とが作動されかつ前記発光ダイオードが作動を停止され、次いで前記光トランジスタが前記有効電力レギュレータの作動を停止するように作動を停止される、光学結合素子とを含むものとすることができる。
【００１９】
さらに、各ランプと前記ループ保護ユニットとの２つの端部に接続されるように適合された開ループ保護ユニットであって、該開ループ保護ユニットが前記ランプの任意の開ループを保護し、次いで前記ループ保護ユニットに正の電圧を出力する、開ループ保護ユニットを含み、前記ループ保護ユニットがさらに前記開ループ保護ユニットと前記シリコン制御整流器のトリガー端子との間に接続された第２のツェナーダイオードを含むものとすることができる。
【００２０】
前記開ループ保護ユニットは、多数のランプに対応するようにそれぞれ適合された多数の分圧器と、前記第２のツェナーダイオードに接続されたコントローラとを含むものとすることができる。
【００２１】
前記スイッチングユニットは全ブリッジ回路又は半ブリッジ回路からなるものとすることができる。
【発明の効果】
【００２２】
ランプの任意の電力ループが開き又は不安定な駆動動力源が発生したことをドライバが検出するとき、バックライトモジュールのドライバがすぐに他のランプへの駆動動力源を遮る。したがって、本発明に係るバックライトモジュールのドライバは前記バックライトモジュールについての非常に安全な保護能力を提供する。
【発明を実施するための最良の形態】
【００２３】
図１を参照すると、本発明に係る第１の実施例のバックライトモジュールのドライバ１０は、有効電力レギュレータ２０と、低電圧の直流電源ユニット３０と、発振器及びスイッチングユニットのドライバユニット４３と、スイッチングユニット４２と、昇圧用変圧器４１と、異常電圧検出ユニット６０と、ループ保護ユニット５２とを有する。
【００２４】
さらに図３Ａ図を参照すると、交流電力を直流電力に変換し、次いで直流電源ユニット３０に出力するように、有効電力レギュレータ２０が交流電源に接続されている。直流電源ユニット３０は有効電力レギュレータ２０と、発振器及びスイッチングユニットのドライバユニット４３との間に接続されている。直流電源ユニット３０は直流電力を低電圧の直流電力に変換する。前記低電圧の直流電力は、発振器及びスイッチングユニットのドライバユニット４３に供給される。
【００２５】
スイッチングユニット４２は、発振器及びスイッチングユニットのドライバユニット４３と昇圧用変圧器４１との間に接続されている。発振器及びスイッチングユニットのドライバユニット４３は、スイッチングユニット４２のデューティサイクルを制御する。スイッチングユニット４２は全ブリッジスイッチング回路（full-bridge switching circuit）又は半ブリッジスイッチング回路（half-bridge switching circuit）からなるものとすることができる。
【００２６】
昇圧用変圧器４１は一次コイルと二次コイルとを有する。前記二次コイルは第１の端部と、第２の端部と、中央の端部とを有する。第１及び第２の端部は非常に高い電圧を提供し、また各ランプ１１の２つの端部に接続されている。したがって、各ランプの２つの端部は非常に高い電圧を得る。
【００２７】
異常電圧検出ユニット６０は、昇圧用変圧器４１の二次コイルの中央の端部に接続され、任意の異常電圧が前記二次コイルに生じたかどうかを検出する。
【００２８】
ループ保護ユニット５２は異常電圧検出ユニット６０とスイッチングユニット４２との間に接続されている。ループ保護ユニット５２は、異常電圧検出ユニット６０からの電圧出力が異常であるか否かを決定する。もし異常であるときは、ループ保護ユニット５２は即座にスイッチングユニット４２の作動を停止し、前記昇圧用変圧器はランプ１１に高電圧の駆動電力を出力しない。
【００２９】
異常電圧検出ユニット６０は主に変圧器Ｔ８と整流器Ｄ９〜Ｄ１２とを有する。変圧器Ｔ８は、昇圧用変圧器４１の二次コイルに接続された一次コイルと、整流器Ｄ９〜Ｄ１２に接続された二次コイルとを有する。このため、昇圧用変圧器４１の二次コイルが漏出電圧を有するか又は昇圧用変圧器４１の二次コイルの２つの端部における不平衡電流が等しくないとき、変圧器Ｔ８がこれらの状況を受け入れ、整流器Ｄ９〜Ｄ１２が正の電圧を出力する。
【００３０】
図３Ａは、主に第１のツェナーダイオードＺＤ３と、選択的な第２のツェナーダイオードＺＤ２、シリコン制御整流器（ＳＣＲ）Ｑ６と、発光ダイオードＵ５Ａ及び光トランジスタ（light transistor）Ｕ５Ｂからなる光学結合素子（符号を付していない）とを有するループ保護ユニット５２の好ましい実施例である。光トランジスタＵ５Ｂはスイッチングユニット４２に直列に接続されている。第１及び第２のツェナーダイオードＺＤ３，ＺＤ２は異常電圧検出ユニット６０とシリコン制御整流器Ｑ６のトリガー端子との間に接続されている。光ダイオードＵ５Ａはシリコン制御整流器Ｑ６に直列に接続されている。異常電圧検出ユニット６０が第１のツェナーダイオードＺＤ３に正の電圧を出力するとき、第１のツェナーダイオードＺＤ３は、シリコン制御整流器Ｑ６を作動させるように作動する。シリコン制御整流器Ｑ６が作動するように作動されるとき、光ダイオードＵ５Ａが光トランジスタＵ５Ｂに光を出力する。光トランジスタＵ５Ｂは前記スイッチングユニットの作動を停止するように作動する。スイッチングユニット４２が作動しないため、前記二次コイルはランプ１１に高電圧を供給しない。
【００３１】
図２、図３Ａ及び図３ｂを参照すると、本発明に係るドライバの第２の実施例が、さらに、各ランプ１１の一端部に接続された開ループ検出ユニット(opened loop detection unit)５１と、ループ保護ユニット５２の第２のツェナーダイオードＺＤ２とを有する。開ループ検出ユニット５１が、前記ランプの任意のループが開かれていることを検出すると、開ループ検出ユニット５１が、前記スイッチングユニットの作動を停止するように、ループ保護ユニット５２に正の電圧の検出信号を出力する。
【００３２】
開ループ検出ユニット５１は主に多数の電圧検出器５１１と、コントローラ５１２とを含む。本発明の各ランプ（図示せず）は、対応する電圧検出器５１１を介して第１及び第２の端部Ａ，Ｂに接続されている。各電圧検出器５１１はコントローラ５１２に接続されている。
【００３３】
各電圧検出器５１１は分圧器からなるものとすることができる。各ランプの作動が正常であれば、コントローラ５１２は分圧器５１１を介して低電圧を検出する。もし、任意の１つのランプ（図示せず）が破損し、これにより前記ランプのループが開くと、コントローラ５１２が分圧器５１１を介して高電圧を検出し、次いでコントローラ５１２が即座にループ開放信号をループ保護ユニット５２に出力する。ループ保護ユニット５２はスイッチングユニット４２の作動を停止する。すなわち、コントローラ５１２が正の電圧を第２のツェナーダイオードＺＤ２に出力するとき、第２のツェナーダイオードＺＤ２がシリコン制御整流器Ｑ６を作動させるように作動する。シリコン制御整流器Ｑ６が作動するように作動されると、光ダイオードＵ５Ａは光を光トランジスタＵ５Ｂに出力する。光トランジスタＵ５Ｂは前記スイッチングユニットの作動を停止するように作動する。スイッチングユニット４２が作動しないため、前記二次コイルは高電圧を前記ランプに提供しない。
【００３４】
図３Ａを参照すると、昇圧用変圧器４１は発振器として使用するための帰還コイルを含まず、また外部の発振器により制御される。したがって、前記発振器は昇圧用変圧器４１に影響を与えず、また本発明は安定した駆動電源を前記ランプに与える。図１１Ａを参照すると、本発明により駆動される２つのランプ１１，１２の２つの強度曲線Ｃ２１，Ｃ２２はほぼ同じである。各ランプの２つの端部の２つの強度間の落差は小さく、このため本発明に係る前記バックライトモジュールは一様な又は均一な明るさを提供する。さらに、昇圧用変圧器４１のみが一次コイルと二次コイルとを有するため、昇圧用変圧器４１は、異なる数量のランプに適合し得るように容易に製造される。
【００３５】
図４を参照すると、本発明に係るドライバ１０”はさらに光度調節ユニットと他の好ましい実施例のループ保護ユニット５２’とを有する。
【００３６】
ループ保護ユニット５２’は異常電圧検出ユニット６０と有効電力レギュレータ２０との間に接続されている。前記異常電圧検出ユニットが前記昇圧用変圧器の二次コイルの不平衡電流に応答し、正の電圧を出力するとき、ループ保護ユニット５２’が有効電力レギュレータ２０の電力を止め、またスイッチングユニット４２が作動を停止する。光度調節ユニット４４は、主に、ＰＷＭ出力端子を有するＰＷＭコントローラからなる。前記ＰＷＭ出力端子は、スイッチングユニット４２のデューティサイクルを変えるための調節信号を調節するために前記発振器及びスイッチングユニットのドライバユニット４３に接続されている。
【００３７】
図５Ａ及び図５Ｂを参照すると、図４の回路図は図３Ａから図３Ｇの回路図より単純であり、このため、要素の番号は図３Ａから図３Ｇと異なる。ループ保護ユニット５２’はツェナーダイオードＺＤ３と、シリコン制御整流器Ｑ５、発光ダイオードＵ１Ａと光トランジスタＵ１Ｂとからなる光学結合要素（符号を付していない）と、トランスミッタＱ６とを含む。光トランジスタＵ１Ｂは有効電力レギュレータ２０のコントローラＩＣ  Ｕ２の電力端子に直列に接続されている。ツェナーダイオードＺＤ３は、異常電圧検出ユニット６０とシリコン制御整流器Ｑ５のトリガー端子とに接続されている。シリコン制御整流器Ｑ５の他の端子は、直流電源ユニット３０から直流電源の正負の電圧端子に接続されている。光ダイオードＵ１Ａは、前記正の電圧端子に接続されたシリコン制御整流器Ｑ５の１の端子とトランスミッタＱ６のコレクション端子とに接続されている。異常電圧検出ユニット６０が正の電圧をツェナーダイオードＺＤ３に出力すると、ツェナーダイオードＺＤ３はシリコン制御整流器Ｑ５のトリガー端子に対して作動する。シリコン制御整流器Ｑ５が作動するように作動されると、光ダイオードＵ１Ａは負の電圧端子に接続され、ついで発光を停止する。このため、光トランジスタＵＢ５が非作動にされる。有効電力レギュレータ２０のコントローラＩＣの電源端子は電源を得られず、作動を停止する。有効電力レギュレータ２０が作動を停止するため、昇圧用変圧器４１の二次コイルは高電圧を有する前記駆動電源をランプ１１に供給しない。
【００３８】
光度調節ユニット４４のＰＷＭコントローラＵ３のＰＷＭ出力端子は、発光ダイオードＵ８Ａ及び光トランジスタＵ８Ｂからなる光学結合素子（符号を付していない）を介して前記発振器及びスイッチングユニットのドライバユニットに接続されている。
【００３９】
前記した説明に基づき、本発明に係るドライバは、主に、前記昇圧用変圧器の駆動電源が正常であるか否かを検出するために異常電圧検出ユニットとループ保護ユニットとを使用する。前記異常電圧検出ユニットが異常駆動電源を検出すると、前記ループ保護ユニットが、前記スイッチングユニット又は有効電力レギュレータを介して前記昇圧用変圧器がランプに駆動電源を出力することを停止する。開回路状態における安定な交流電源とランプとが異常駆動電力を生じさせ得るため、本発明は、これらの状態が生じるとき、即座に前記ランプを駆動することを停止する。
【図面の簡単な説明】
【００４０】
【図１】本発明に係るバックライトモジュールのドライバの第１の実施例の機能図である。
【図２】本発明に係るバックライトモジュールのドライバの第２の実施例の機能図である。
【図３Ａ】本発明に係るドライバの第２の実施例の回路図である。
【図３Ｂ】本発明に係るドライバの第２の実施例の回路図である。
【図４】本発明に係るバックライトモジュールのドライバの第３の実施例の機能図である。
【図５Ａ】本発明に係るドライバの第３の実施例の回路図である。
【図５Ｂ】本発明に係るドライバの第３の実施例の回路図である。
【図６】従来技術に係るバックライトモジュールのドライバの回路図である。
【図７】バックライトモジュールにおける金属製の蓋の１のランプの構造の概略図である。
【図８】２つのランプに接続された変圧器の回路図である。
【図９】従来技術に係るバックライトモジュールのドライバのインバータの回路図である。
【図１０】バックライトモジュールにおける金属製の蓋の１のランプの構造の概略図である。
【図１１Ａ】本発明に係るドライバにより駆動された２つのランプの強度測定図である。
【図１１Ｂ】図８に示すインバータにより駆動された２つのランプの強度測定図である。
【図１２】バックライトモジュールにおける２つのランプの概略図である。
【符号の説明】
【００４１】
１０，１０’，１０”  ドライバ
１１  ランプ
２０  有効電力レギュレータ
３０  直流電源ユニット
４１  昇圧用変圧器
４２  スイッチングユニット
４３  発振器及びスイッチングユニットのドライバユニット
４４  光度調節ユニット
５１  開ループ検出ユニット
５２，５２’  ループ保護ユニット
６０  異常電圧検出ユニット
【図１】
2005332814.tif 000003
【図２】
2005332814.tif 000004
【図３Ａ】
2005332814.tif 000005
【図３Ｂ】
2005332814.tif 000006
【図４】
2005332814.tif 000007
【図５Ａ】
2005332814.tif 000008
【図５Ｂ】
2005332814.tif 000009
【図６】
2005332814.tif 000010
【図７】
2005332814.tif 000011
【図８】
2005332814.tif 000012
【図９】
2005332814.tif 000013
【図１０】
2005332814.tif 000014
【図１１Ａ】
2005332814.tif 000015
【図１１Ｂ】
2005332814.tif 000016
【図１２】
2005332814.tif 000017